(57)【特許請求の範囲】
【請求項１】
前面に商品取り出し用の開口を有するケースと、
前記ケース内に設けられ、商品を陳列する棚を備える商品収納庫と、
前記商品収納庫の前面上部に設けられ、下方に冷気を吹き出す冷気吹出口と、
前記商品収納庫の前面下部に設けられ、冷気を吸込む冷気吸込口と、
前記冷気吸込口よりも下方の前記ケースの前面下部に設けられ、前記冷気吸込口から前記ケースの下方へと漏れた冷気を吸い込む吸込口と、
前記吸込口より吸い込まれた冷気が流れるダクトと、
前記ケースの側面下部に設けられ、前記ダクトを流れる冷気を排気する排気口と、
前記吸込口から前記排気口に向けて前記ダクト内の冷気を流すための送気器と、を備えるショーケースであって、
前記排気口にフィンを備え、前記フィンは、前記フィンを通過する冷気の向きを上向きにする傾斜部を備え、前記フィンの傾斜部は、前記ケースの側面に沿う冷気の流れを形成することにより、前記ケースの側面の結露発生を抑制するショーケース。
【請求項２】
前記吸込口及び前記排気口の少なくとも一方にフィルタを備える請求項１に記載のショーケース。
【請求項３】
前記送気器の動作を制御する制御器を備える請求項１又は２に記載のショーケース。
【請求項４】
前記ショーケースの湿度環境が第１の状態よりも高い第２の状態であるときに、前記制御器は、前記送気器の動作量を増加させる請求項３に記載のショーケース。
【請求項５】
前記ショーケースが霜取り動作中であるとき、前記制御器は、前記送気器の動作量を減少させる請求項３に記載のショーケース。
【請求項６】
前記制御器は、夜間において前記ショーケースにカバーが掛けられる場合は、昼間より前記送気器の動作量を減少させる請求項３に記載のショーケース。
【請求項７】
前記制御器は、夜間において空調機器が停止する場合は、昼間より前記送気器の動作量を増加させる請求項３に記載のショーケース。
【請求項８】
請求項１又は２に記載のショーケースに前記送気器を制御する制御信号を送信する送信器と、前記送信器を制御する制御器とを備える制御装置。
【請求項９】
前記ショーケースの湿度環境が第１の状態よりも高い第２の状態であるときに、前記制御器は、前記送信器に前記送気器の動作量を増加させる制御信号を送信させる請求項８に記載の制御装置。
【請求項１０】
前記ショーケースが霜取り動作中であるとき、前記制御器は、前記送信器に前記送気器の動作量を減少させる制御信号を送信させる請求項８に記載の制御装置。
【請求項１１】
前記制御器は、夜間において前記ショーケースにカバーが掛けられる場合は、前記送信器に昼間より前記送気器の動作量を減少させる制御信号を送信させる請求項８に記載の制御装置。
【請求項１２】
前記制御器は、夜間において空調機器が停止する場合は、前記送信器に昼間より前記送気器の動作量を増加させる制御信号を送信させる請求項８に記載の制御装置。
【発明の詳細な説明】
【技術分野】
【０００１】
本開示はショーケース及び制御装置に関する。
【背景技術】
【０００２】
スーパーマーケット、コンビニエンスストア等の店舗には、食料品等の商品を冷蔵状態又は冷凍状態等で商品収納庫に陳列するショーケースが使用される場合が多い。そして、本ショーケースでは、冷却器で冷却された空気が、商品収納庫の前面上部の冷気吹出口から吹き出され、商品収納庫の前面下部の冷気吸込口で吸い込まれる。これにより、ショーケースの前面開口における商品収納庫内への外気流入が抑制され、商品収納庫内の商品が保冷される。しかし、この場合、ショーケースの内側が冷気に曝され、外側が外気に曝されるので、両者の温度差により、ショーケースに結露が発生する可能性がある。そこで、このような結露発生を抑制するための提案がすでに行われている。
【０００３】
例えば、特許文献１では、ショーケースの機械室内の暖気を、ショーケースの透明壁（側板）の外面へ向けて吐出するための防露用のファンを設けることが記載されている。
【先行技術文献】
【特許文献】
【０００４】
【特許文献１】特開２００８−２９４１０号公報
【発明の概要】
【発明が解決しようとする課題】
【０００５】
しかし、従来例は、ショーケース側面の結露対策において、ショーケース側面に暖気が送られる場合の問題について検討されていない。本開示の一態様(aspect)は、このような事情に鑑みてなされたものであり、暖気を用いずに、ショーケース側面の結露対策を行い得るショーケースを提供する。また、本開示の一態様は、このようなショーケースを制御する制御装置を提供する。
【課題を解決するための手段】
【０００６】
本開示の一態様のショーケースは、前面に商品取り出し用の開口を有するケースと、前記ケース内に設けられ、商品を陳列する棚を備える商品収納庫と、前記商品収納庫の前面上部に設けられ、下方に冷気を吹き出す冷気吹出口と、前記商品収納庫の前面下部に設けられ、冷気を吸込む冷気吸込口と、前記冷気吸込口よりも下方の前記ケースの前面下部に設けられ、空気を吸い込む吸込口と、前記吸込口より吸い込まれた空気が流れるダクトと、前記ケースの側面に設けられ、前記ダクトを流れる空気を排気する排気口と、前記吸込口から前記排気口に向けて前記ダクト内の空気を流すための送気器と、を備える。
【発明の効果】
【０００７】
本開示の一態様のショーケースは、暖気を用いずに、ショーケース側面の結露対策を行い得る。
【図面の簡単な説明】
【０００８】
【図１】図１は、第１実施形態のショーケースの一例を示す図である。
【図２】図２は、第１実施形態のショーケースの一例を示す図である。
【図３】図３は、第１実施形態のショーケースの一例を示す図である。
【図４】図４は、第１実施形態の第１実施例のショーケースの一例を示す図である。
【図５】図５は、第１実施形態の第２実施例のショーケースの一例を示す図である。
【図６】図６は、第２実施形態のショーケースの一例を示す図である。
【図７】図７は、第２実施形態の変形例の制御装置の一例を示す図である。
【発明を実施するための形態】
【０００９】
ショーケース側面の結露発生を抑制するために鋭意検討が行われ、以下の知見が得られた。
【００１０】
まず、ショーケース側面の結露発生の原因について説明する。
【００１１】
店舗の構造、商品の種類等によっては、ショーケースを一続きの横長に構成できずに分割して並べることがある。例えば、法令等に基づいて防火シャッターを店舗内に設置する場合、防火シャッターが降下する位置においてショーケースが分割される。また、保存温度帯が異なる商品（例えば、要冷の商品と非冷の商品）が陳列される場合も、このような温度帯の切り替わりにおいてショーケースが分割される。また、ショーケースがショーケースと異なる通常の陳列棚と隣接配置されたりする。
【００１２】
以上の場合、隣り合うショーケース同士もしくは隣り合うショーケースと通常の陳列棚は、両者の側板が近接するように配置されることが多い。すると、隣り合うショーケースもしくはショーケースと陳列棚の側板によって狭い隙間が形成され、この隙間に外気が滞留する。そして、外気の湿度、冷気の温度と外気の温度との間の温度差等の環境条件によっては、この側板の外面に結露が発生し、結露によってカビ等が生じる可能性がある。特に、ショーケースを側面から見通し得るというデザイン性を考慮して、ショーケース側面をガラス板で構成するタイプのショーケースが人気であるが、ガラスは断熱性能が低いので、ガラスタイプのショーケース側面には結露が発生しやすい。なお、断熱ガラス、二重構造のガラス等を用いることで結露発生を抑制することも可能であるが、これらのガラスを使用するとコストが嵩む。
【００１３】
そこで、特許文献１のショーケースでは、ショーケース側面に暖気を送ることで、ショーケース側面の結露発生が抑制されている。しかし、暖気によるショーケース側面の結露対策には、以下の問題がある。
【００１４】
ショーケース側面に暖気が送られる場合、暖気の熱は、ショーケース側面を通じて商品収納庫内に伝わる。すると、商品収納庫内の商品の保冷に悪影響を与える可能性がある。つまり、特許文献１の結露対策では、商品収納庫内の商品の冷却効率が低下する可能性がある。
【００１５】
また、ショーケースには、ショーケース内に冷凍サイクルの冷凍機（凝縮器、圧縮機等）を内蔵している冷凍機内蔵型ショーケースと、ショーケースと冷凍機とが配管でつながり、別々に設置されている冷凍機別置型ショーケースと、がある。しかし、後者の冷凍機別置型ショーケースは、ショーケースで暖気が発生しない。つまり、特許文献１の結露対策は、冷凍機内蔵型ショーケースを対象とする技術であり、冷凍機別置型ショーケースには使えない。
【００１６】
そこで、発明者らは、ショーケース側面の結露対策において、冷気吸込口からケースの下方へと漏れた冷気を活用するという着想に到達した。
【００１７】
本開示の第１の態様のショーケースは、前面に商品取り出し用の開口を有するケースと、ケース内に設けられ、商品を陳列する棚を備える商品収納庫と、商品収納庫の前面上部に設けられ、下方に冷気を吹き出す冷気吹出口と、商品収納庫の前面下部に設けられ、冷気を吸込む冷気吸込口と、冷気吸込口よりも下方のケースの前面下部に設けられ、空気を吸い込む吸込口と、吸込口より吸い込まれた空気が流れるダクトと、ケースの側面に設けられ、ダクトを流れる空気を排気する排気口と、吸込口から排気口に向けてダクト内の空気を流すための送気器と、を備える。
【００１８】
かかる構成によると、暖気を用いずに、ショーケース側面の結露対策を行い得る。これにより、ショーケース側面の結露対策において、ショーケース側面に暖気が送られる従来例に比べ、商品収納庫内の商品の冷却効率が向上する。具体的には、冷気吸込口からケースの下方へと漏れた空気が、吸込口から排気口へとダクト内を流れる。すると、エンタルピーが低い空気（例えば、湿度が低い空気、温度が低い空気、又は、両方が低い空気）が、排気口からショーケース側面に送られるので、ショーケース側面の結露発生が抑制される。そして、この場合、商品収納庫内の商品の保冷に悪影響を与えないので、従来例に比べ、商品収納庫内の商品の冷却効率が向上する。
【００１９】
また、従来例に比べ、ショーケース側面の結露対策の汎用性が向上する。具体的には、冷気吸込口からケースの下方へと漏れたエンタルピーが低い空気の活用により、ショーケース側面の結露発生が抑制されるので、本態様の結露対策は、冷凍機内蔵型ショーケースにも冷凍機別置型ショーケースにも適用できる。
【００２０】
本開示の第２の態様のショーケースは、第１の態様のショーケースにおいて、排気口は、ケースの側面下部に設けられる。
【００２１】
ショーケース側面は、冷気吸込口よりも上方の部分が、商品収納庫内の冷気で冷却されやすい。よって、ケースの側面下部に排気口を設ける方が、ケースの側面上部に排気口を設けるよりも、ショーケース側面の結露対策において効果的である。
【００２２】
以下、本開示の実施形態について、図面を参照しながら具体的に説明する。
【００２３】
なお、以下で説明する実施形態は、いずれも包括的又は具体的な例を示すものである。以下の実施形態で示される数値、形状、材料、構成要素、構成要素の配置位置及び接続形態等は、一例であり、本開示を限定する主旨ではない。また、以下の実施形態における構成要素のうち、最上位概念を示す独立請求項に記載されていない構成要素については、任意の構成要素として説明される。
【００２４】
（第１実施形態）
図１、図２及び図３は、第１実施形態のショーケースの一例を示す図である。なお、「上」、「下」、「右」、「左」、「前」及び「後」が、これらの図面に示すように取られており、重力は「上」から「下」へ作用するものとする。ショーケース１００は、冷凍機内蔵型ショーケースであってもよいし、冷凍機別置型ショーケースであってもよい。以下、冷凍機別置型ショーケースについて説明する。また、ショーケース１００は、照明器具、電動機、温度計等の様々な部品及び機器を備えるが、これらは公知なので説明を省略する。
【００２５】
図１には、ショーケース１００を前面視した図が示されている。図２には、ショーケース１００を右側から側面視した図が示されているが、左側から側面視した図も同様である。図３には、ケース１０の側面２１を構成する部材を取り外した状態でショーケース１００を側面視した図が示されている。
【００２６】
図１に示すように、ショーケース１００は、ケース１０と商品収納庫２０とを備える。
【００２７】
ケース１０は、前面に商品取り出し用の開口を有する。具体的には、ショーケース１００は、前面に扉が存在しないオープンショーケースであり、クローズショーケースに比べ商品収納庫２０から商品の取り出しが容易という特徴がある。但し、オープンショーケースには、開口における商品収納庫２０内への外気流入という問題がある。よって、この開口に、例えば、冷気によるエアカーテンが形成されている。エアカーテンの詳細については後述する。
【００２８】
商品収納庫２０は、ケース１０内に設けられ、図示しない商品を陳列する棚２５を備える。なお、本例では、ショーケース１００は、図２に示すように、側面２１の中央部２１Ｃが透明な部材（例えば、ガラス板）で構成されている。側面２１の中央部２１Ｃを、例えば、透明なガラス板で構成すると、ショーケース１００を側面２１から見通し得るのでデザイン性に優れている。しかし、本実施形態のショーケース１００は、本構成に限定されない。例えば、側面２１の全面が、不透明な部材で構成されていてもよい。
【００２９】
図３に示すように、ショーケース１００は、冷気吹出口２２と冷気吸込口２３とを備える。
【００３０】
冷気吹出口２２は、商品収納庫２０の前面上部に設けられ、下方に冷気を吹き出す。冷気吸込口２３は、商品収納庫２０の前面下部に設けられ、冷気を吸込む。
【００３１】
冷気吹出口２２は下方に冷気を吹き出すことができれば、どのような構成であっても構わない。冷気吸込口２３は、冷気を吸込むことができれば、どのような構成であっても構わない。
【００３２】
例えば、ケース１０の庫内ダクト１２内に、冷凍サイクルの冷却器及び冷気循環用の送気器（いずれも図示せず）が設けられ、冷気吹出口２２に、図示しないハニカム状の整流子が設けられていてもよい。例えば、送気器は、ファンである。これにより、冷却器で冷却された空気（冷気）が、庫内ダクト１２を通過して冷気吹出口２２の整流子で整流されて吹出される。すると、冷気は、棚２５の先端に沿うように下方に流れて、冷気吸込口２３で吸込まれることで、ショーケース１００の開口に、冷気によるエアカーテンが形成される。このエアカーテンの作用により商品収納庫２０内と外部との間の通気が遮断され、商品収納庫２０内の商品が適温に保冷される。
【００３３】
ここで、本実施形態では、図１、図２及び図３に示すように、ショーケース１００は、吸込口１３と、ダクト１４と、排気口１５と、送気器１６と、を備える。
【００３４】
吸込口１３は、冷気吸込口２３よりも下方のケース１０の前面下部１０Ｄに設けられ、空気を吸い込むための開口である。吸込口１３は、冷気吸込口２３よりも下方のケース１０の前面下部１０Ｄに設けられ、空気を吸い込む開口であれば、どのような構成であっても構わない。例えば、吸込口１３は、前面下部１０Ｄを構成するキックプレートに形成された孔であってもよいし、キックプレートに形成された金属メッシュであってもよい。
【００３５】
ダクト１４は、吸込口１３より吸い込まれた空気が流れる流路である。吸込口１３より吸い込まれた空気は、ダクト１４を通じて排気口１５へと送られる。例えば、ダクト１４は、ショーケース１００の上面視において、吸込口１３から排気口１５へと延伸する曲管であってもよい。
【００３６】
排気口１５は、ケース１０の側面２１に設けられ、ダクト１４を流れる空気を排気するための開口である。排気口１５は、例えば、図２に示すように、ケース１０の側面下部２１Ｄに設けられていてもよい。また、ケース１０の側面下部２１Ｄは、冷気吸込口２３よりも下方の部分であってもよい。
【００３７】
排気口１５は、ケース１０の側面２１に設けられ、ダクト１４を流れる空気を排気する開口であれば、どのような構成であっても構わない。例えば、排気口１５は、側面２１を構成するプレート板に形成された孔であってもよいし、プレート板を形成された金属メッシュであってもよい。
【００３８】
送気器１６は、吸込口１３から排気口１５に向けてダクト１４内の空気を流すための送風器である。送気器１６は、吸込口１３から排気口１５に向けてダクト１４内の空気を流すことができれば、どのような構成であっても構わない。例えば、送気器１６は、吸込口１３に対置された吸気器であってもよいし、排気口１５に対置された排気器であってもよい。吸気器及び排気器として、例えば、ファン、ブロワ等を挙げることができる。
【００３９】
ここで、冷気吹出口２２から吹出した冷気の一部は、図３の矢印で示すように、冷気吸込口２３で吸込まれずに、冷気吸込口２３よりも下方のケース１０の前面下部１０Ｄへと漏れる。このため、ショーケース１００の動作中（冷気吹き出し中）は、前面下部１０Ｄを構成するキックプレートの付近には、冷気吸込口２３から漏れた冷気が滞留する場合が多い。よって、ダクト１４内には、冷気が流れ込む可能性が高く、排気口１５からはエンタルピーが低い空気（例えば、湿度が低い空気、温度が低い空気、又は、両方が低い空気）が排出される可能性が高い。
【００４０】
このようにして、本実施形態のショーケース１００は、暖気を用いずに、ケース１０の側面２１の結露対策を行い得る。
【００４１】
これにより、ケース１０の側面２１の結露対策において、ショーケース側面に暖気が送られる従来例に比べ、商品収納庫２０内の商品の冷却効率が向上する。具体的には、冷気吸込口２３からケース１０の下方へと漏れたエンタルピーが低い空気が、吸込口１３から排気口１５へとダクト１４内を流れる。すると、エンタルピーが低い空気が、排気口１５からケース１０の側面２１に送られるので、ケース１０の側面２１の結露発生が抑制される。そして、この場合、商品収納庫２０内の商品の保冷に悪影響を与えないので、従来例に比べ、商品収納庫２０内の商品の冷却効率が向上する。
【００４２】
また、従来例に比べ、ケース１０の側面２１の結露対策の汎用性が向上する。具体的には、冷気吸込口２３からケース１０の下方へと漏れたエンタルピーが低い空気の活用により、ケース１０の側面２１の結露発生が抑制されるので、本実施形態の結露対策は、冷凍機内蔵型ショーケースにも冷凍機別置型ショーケースにも適用できる。
【００４３】
更に、ケース１０の側面２１は、冷気吸込口２３よりも上方の部分が商品収納庫２０内の冷気で冷却されやすい。よって、ケース１０の側面下部２１Ｄに排気口１５を設ける方が、ケース１０の側面上部に排気口を設けるよりも、ケース１０の側面２１の結露対策において効果的である。また、この場合、排気口１５は、排気される空気が上方に向けた風向きになるよう構成されてもよい。
【００４４】
特に、ケース１０の側面２１の中央部２１Ｃが、ガラス板等の透明な部材で構成された場合、側面２１の中央部２１Ｃには結露が発生しやすいが、以上の構成により、このような中央部２１Ｃの結露発生を適切に抑制できる。
【００４５】
なお、ケース１０の側面２１は、冷気吹出口２２よりも下方の部分が冷却されやすいという理由から、冷気吹出口２２よりも上方のケース１０の側面２１に排気口を設けてもよい。この場合は、排気口は、排気される空気が下方に向けた風向きになるよう構成されてもよい。
【００４６】
（第１実施例）
図４は、第１実施形態の第１実施例のショーケースの一例を示す図である。図４では、ショーケース１００の前面下部１０Ｄ及び右側の側面下部２１Ｄの周辺構成、及び空気の流れ方向を図示しているが、図面の簡略化のため、図３のダクト１４の図示を省略している。
【００４７】
第１実施形態の第１実施例のショーケース１００は、第１の態様又は第２の態様のショーケース１００において、排気口１５にフィン３０を備え、フィン３０は、フィン３０を通過する空気の向きを上向きにする傾斜部を備える。
【００４８】
かかる構成によると、排気口１５を空気が通過するとき、フィン３０の傾斜部により空気の流れが上向きになる。よって、排気口１５の上方において、ケース１０の側面２１に沿う空気の流れが形成されるので、排気口１５に、このようなフィンを備えない場合に比べ、ケース１０の側面２１の結露発生を効率良く抑制できる。
【００４９】
本実施例のショーケース１００は、上記特徴以外は、第１の態様又は第２の態様のショーケース１００と同様に構成してもよい。
【００５０】
（第２実施例）
図５は、第１実施形態の第２実施例のショーケースの一例を示す図である。図５では、ショーケース１００の前面下部１０Ｄ及び右側の側面下部２１Ｄの周辺構成、及び空気の流れ方向を図示しているが、図面の簡略化のため、図３のダクト１４の図示を省略している。
【００５１】
第１実施形態の第２実施例のショーケース１００は、第１の態様、第２の態様及び第１実施例のいずれかのショーケース１００において、吸込口１３及び排気口１５の少なくとも一方にフィルタ３２を備える。
【００５２】
かかる構成によると、ダクト１４を通過する空気中の微粒子をフィルタ３２で適切に取り除くことができる。
【００５３】
図５には、フィン３０を備える排気口１５に、フィルタ３２が設けられる構成が示されているが、これに限らない。例えば、ショーケース１００は、吸込口１３にフィルタを備えてもよいし、吸込口１３及び排気口１５の両方にフィルタを備えてもよい。また、ショーケース１００は、異物がダクト１４に入らないように吸込口１３及び排気口１５の少なくとも一方にメッシュ部材を備えてもよい。更に、ショーケース１００は、排気口１５にフィン３０を備えてなくてもよい。
【００５４】
本実施例のショーケース１００は、上記特徴以外は、第１の態様、第２の態様及び第１実施例のいずれかのショーケース１００と同様に構成してもよい。
【００５５】
（第２実施形態）
図６は、第２実施形態のショーケースの一例を示す図である。
【００５６】
第２実施形態のショーケース１００は、第１の態様、第２の態様、第１実施形態の第１実施例及び第２実施例のいずれかのショーケース１００において、送気器１６の動作を制御する制御器５０を備える。
【００５７】
図６に示すように、制御器５０は、ショーケース１００内に設けられ、送気器１６の動作を制御するよう構成されている。
【００５８】
例えば、ショーケース１００の湿度環境が第１の状態よりも高い第２の状態であるときに、制御器５０は、送気器１６の動作量を増加させてもよい。つまり、制御器５０は、ショーケース１００の湿度環境が第１の状態よりも高い第２の状態であるときに、ダクト１４を通過する空気流量が増えるように、送気器１６の動作を制御するとよい。これにより、ケース１０の側面２１において、第１の状態よりも、結露が発生しやすい湿度環境である第２の状態に移行した場合に、送気器１６の動作量を増加させるので、送気器１６の無駄な電力消費を抑制できる。
【００５９】
なお、結露が発生しやすい湿度環境については様々な状況が想定される。例えば、夏場は、冬場よりも結露が発生しやすい。また、雨天の日は、晴天の日よりも結露が発生しやすい。よって、制御器５０のタイマー機能、制御器５０のカレンダー機能、遠隔監視システムもしくはオペレータの遠隔操作等により、結露が発生しやすい湿度環境の期間だけ送気器１６の動作量が増加されてもよい。例えば、制御器５０のカレンダー機能により、制御器５０は、送気器１６の動作量を、冬場に比べ夏場に増加させてもよい。また、オペレータの遠隔操作により、制御器５０は、送気器１６の動作量を、晴天の日に比べ雨天の日に増加させてもよい。
【００６０】
また、制御器５０が、ショーケース１００の湿度環境を検知することで、送気器１６の動作量を制御してもよい。本湿度環境の検知は、どのような方法であっても構わない。例えば、制御器５０は、ショーケース１００の適所に設けられた湿度計を用いて、ショーケース１００の湿度環境を直接的に検知してもよいし、ショーケース１００の湿度環境と相関する適宜の箇所に設けられた湿度計（例えば、店舗内環境を監視する湿度計）を用いて、ショーケース１００の湿度環境を間接的に検知してもよい。更に、ショーケース１００の湿度環境との間の適宜の相関量（例えば、温度）を用いて、ショーケース１００の湿度環境を間接的に検知してもよい。
【００６１】
また、ショーケース１００が霜取り動作中であるとき、制御器５０は、送気器１６の動作量を減少させてもよい。なお、「送気器１６の動作量を減少」は、送気器１６の動作量がゼロとなる送気器１６の停止動作も含むものとする。
【００６２】
例えば、ショーケース１００における霜取り動作のタイマー制御に連動して、制御器５０が、送気器１６の動作を制御してもよい。
【００６３】
つまり、冷凍サイクルの冷却器の霜取りが行われている間は、冷却器により庫内ダクト１２を流れる空気が冷却されにくいので、冷気吸込口２３からの冷気の漏洩量が少ない。また、商品収納庫２０内の冷却が弱くなるので、ケース１０の内部と外部の温度差が小さくなり、ケース１０の側面２１で結露が発生しにくくなる。よって、ショーケース１００が霜取り動作中の場合、送気器１６の動作量を減少させることで、送気器１６の無駄な電力消費を抑制できる。
【００６４】
また、制御器５０は、夜間において昼間より送気器１６の動作量を減少させてもよい。夜間は、ショーケース１００にナイトカバーが掛けられる場合がある。よって、この場合、冷気吸込口２３からの冷気の漏洩量が少ないので、夜間において昼間より送気器１６の動作量を減少させることで、送気器１６の無駄な電力消費を抑制できる。
【００６５】
また、制御器５０は、夜間において昼間より送気器１６の動作量を増加させてもよい。夜間には店舗の空調機器が停止し、昼間よりも夜間に結露が発生しやすい湿度環境になる場合がある。よって、この場合、夜間において昼間より送気器１６の動作量を増加させることで、ケース１０の側面２１の結露発生を適切に抑制できる。
【００６６】
制御器５０は、制御機能を有するものであれば、どのような構成であっても構わない。制御器５０は、例えば、演算回路（図示せず）と、制御プログラムを記憶する記憶回路（図示せず）と、を備える。演算回路として、例えば、ＭＰＵ、ＣＰＵ等が例示される。記憶回路として、例えば、メモリが例示される。制御器５０は、集中制御を行う単独の制御器で構成されていてもよいし、互いに協働して分散制御を行う複数の制御器で構成されていてもよい。
【００６７】
なお、制御器５０の演算回路が記憶回路から制御プログラムを読み出すことで、制御器５０による上記送気器１６の動作が行われる。また、上記送気器１６の動作は、互いに相手を排除しない限り、互いに組み合わせても構わない。
【００６８】
（変形例）
図７は、第２実施形態の変形例の制御装置の一例を示す図である。
【００６９】
第２実施形態の変形例の制御装置６０は、第１の態様、第２の態様、第１実施形態の第１実施例及び第２実施例のいずれかのショーケース１００に送気器１６を制御する制御信号を送信する送信器６０Ａと、送信器６０Ａを制御する制御器６０Ｂと、を備える。
【００７０】
図７に示すように、制御装置６０は、ショーケース１００の外部に設けられ、制御器６０Ｂは、送信器６０Ａを用いて、ショーケース１００内の制御器５０と通信可能に接続されるとともに、送気器１６の動作を制御するように構成されている。送信器６０Ａによる通信は、無線ネットワーク通信でもよいし、有線ネットワーク通信でもよい。
【００７１】
例えば、ショーケース１００の湿度環境が第１の状態よりも高い第２の状態であるときに、制御器６０Ｂは、送信器６０Ａに送気器１６の動作量を増加させる制御信号を送信させてもよい。また、ショーケース１００が霜取り動作中であるとき、制御器６０Ｂは、送信器６０Ａに送気器１６の動作量を減少させる制御信号を送信させてもよい。また、制御器６０Ｂは、送信器６０Ａに夜間において昼間より送気器１６の動作量を減少させる制御信号を送信させてもよい。また、制御器６０Ｂは、送信器６０Ａに夜間において昼間より送気器１６の動作量を増加させる制御信号を送信させてもよい。
【００７２】
なお、制御器６０Ｂによる送気器１６の動作の詳細は、上記の制御器５０による送気器１６の動作と同様であるので説明は省略する。制御器６０Ｂも、上記の制御器５０と同様、制御機能を有するものであれば、どのような構成であっても構わない。
【００７３】
上記説明から、当業者にとっては、本開示の多くの改良及び他の実施形態が明らかである。従って、上記説明は、例示としてのみ解釈されるべきであり、本開示を実行する最良の態様を当業者に教示する目的で提供されたものである。本開示の精神を逸脱することなく、その構造及び／又は機能の詳細を実質的に変更できる。
【産業上の利用可能性】
【００７４】
本開示の一態様はショーケースとして利用できる。
【符号の説明】
【００７５】
１０    ：ケース
１０Ｄ  ：前面下部
１２    ：庫内ダクト
１３    ：吸込口
１４    ：ダクト
１５    ：排気口
１６    ：送気器
２０    ：商品収納庫
２１    ：側面
２１Ｃ  ：中央部
２１Ｄ  ：側面下部
２２    ：冷気吹出口
２３    ：冷気吸込口
２５    ：棚
３０    ：フィン
３２    ：フィルタ
５０    ：制御器
６０    ：制御装置
６０Ａ  ：送信器
６０Ｂ  ：制御器
１００  ：ショーケース
【図１】
0006796797.tif 000002
【図２】
0006796797.tif 000003
【図３】
0006796797.tif 000004
【図４】
0006796797.tif 000005
【図５】
0006796797.tif 000006
【図６】
0006796797.tif 000007
【図７】
0006796797.tif 000008